(57)【要約】【課題】  蓋部の固定のための構造が転圧作業の障害となることがないと共に充分な強度をもって段積みすることができ、また、容易に製造できながら吊り上げた際の変形をできるだけ抑制して、円滑かつ効率的に転圧作業を行うことができる。【解決手段】  土嚢袋１０は、開口１２ａを有しこの開口１２ａを通じて充填された内容物により保型性を有する袋本体１２と、この袋本体１２の開口１２ａを閉鎖する複数の蓋部１４と、袋本体１２を吊り上げる吊りベルト１６を有する。この吊りベルト１６は、両端が袋本体１２の内面に取り付けられた複数の底ベルト１６Ａと、袋本体１２の底面１２ｂ側から貫通して袋本体１２内に延びて袋本体１２の底面１２ｂを引き上げる引き上げベルト１６Ｂと、これらの複数の底ベルト１６Ａ及び引き上げベルト１６Ｂを結束すると共に吊り下げる吊り下げベルト１６Ｃとから成っている。【選択図】        図１
2019094625.tif 000002
【特許請求の範囲】
【請求項１】
開口を有し前記開口を通じて充填された内容物により保型性を有する袋本体と、前記袋本体の開口を閉鎖する複数の蓋部と、前記袋本体を吊り下げる吊りベルトを有する土嚢袋であって、前記吊りベルトは、両端が前記袋本体の内面に取り付けられた複数の底ベルトと、前記袋本体の底面側から貫通して前記袋本体内に延びて前記袋本体の前記底面を引き上げる引き上げベルトと、前記複数の底ベルト及び前記引き上げベルトを結束すると共に吊り下げる吊り下げベルトとから成っていることを特徴とする土嚢袋。
【請求項２】
請求項１に記載された土嚢袋であって、前記引き上げベルトは、前記袋本体の底面に設けられた固定ベルトに固定されていることを特徴とする土嚢袋。
【請求項３】
請求項２に記載された土嚢袋であって、前記固定ベルトは、前記袋本体の底面に十字状に取り付けられたクロスベルトであって、前記引き上げベルトは、前記クロスベルトの交差点において固定されていることを特徴とする土嚢袋。
【請求項４】
請求項１乃至請求項３のいずれかに記載された土嚢袋であって、前記底ベルトは、前記袋本体の側面間の角部以外の箇所に取り付けられていることを特徴とする土嚢袋。
【請求項５】
請求項１乃至請求項４のいずれかに記載された土嚢袋であって、前記複数の蓋部は、前記吊りベルトを貫通させるスリットを有していることを特徴とする土嚢袋。
【請求項６】
請求項１乃至請求項５のいずれかに記載された土嚢袋であって、前記袋本体は、更に、前記袋本体の側面間の角部に取り付けられた補助ベルトを有し、前記補助ベルトは、前記袋本体の吊り下げ時に前記吊りベルトに固定されて前記袋本体の吊り下げを補助することを特徴とする土嚢袋。
【発明の詳細な説明】
【技術分野】
【０００１】
本発明は、例えば、土砂や水の侵入の防止や土質の改良のために設置される土嚢袋の改良に関し、特に、段積みの際の転圧作業を円滑かつ効率的に行うことに関するものである。
【背景技術】
【０００２】
例えば、水害や土石流発生等の災害時においては、複数の土嚢を段積みして、土壁や堤防の代わりとして、土砂や水の侵入を防ぐことが行われる。また、このような土嚢は、土質の改良（強化）のため、地中に段積みして、土壌を固化し、その上に道路等の構築物を構築する際の基礎とすることに用いられることもある。
【０００３】
このような土嚢として使用される土嚢袋は、内部に土砂やセメント、あるいは、枯葉、焼却灰、瓦礫等の廃棄物等を充填して固形とし、充填後、上部のカバー（蓋部）を閉じて封入した後、クレーン等により吊り上げて複数の土嚢袋を積層することにより段積みされる。この内容物が充填された土嚢袋の蓋部は、従来、直方体の形状を有する袋本体の上縁に設けられた２対の蓋部を、各対毎に、一方の蓋部の上面に取り付けられた帯状の面ファスナーを、相対向する他方の蓋部に跨がって取り付けることにより、固定的に閉じられていた（例えば、特許文献１、２参照）。また、面ファスナー以外にも、蓋部の上方にベルトを掛けることにより、蓋部を固定する土嚢袋も存在する。
【０００４】
しかし、これらの従来の土嚢袋では、蓋部を閉じた状態で、蓋部の固定のために設けられている面ファスナーやベルトが、土嚢袋の上表面に表出しているため、この蓋部をランマー等の転圧機械により転圧（地固め）する際に、面ファスナーや多数のベルト等が転圧の障害となって、袋本体上部への転圧作業を円滑に行うことができず、作業効率が低下する問題があった。また、その結果、複数の土嚢袋の間に不必要な隙間が生じて、安定的に積層することができなくなるおそれもあった。
【０００５】
また、この土嚢袋を段積みする際には、土嚢袋の中央等に設置された吊りベルトをクレーン等により吊り上げて搬送するが（例えば、特許文献１、２参照）、内容物が充填された土嚢袋は非常に重いため、吊り下げられた際に、吊りベルト付近が盛り上がる一方、その他の部分、特に、角部が垂れ下がって変形する傾向がある。このため、設置した後に転圧作業を開始する際にも、まずは、この変形を修復する作業から始める必要があるため、作業効率の低下を招く問題があった。従って、この吊り下げの際の土嚢袋の変形は、できるだけ抑制することが望まれる。この場合、土嚢袋の底面等を引き上げるためのベルトを土嚢袋の内部に設置することも考えられるが（例えば、特許文献１、２参照）、従来のベルトは、構造が複雑で、かつ、その結果、製造に手間とコストを要する問題を有していた。
【先行技術文献】
【特許文献】
【０００６】
【特許文献１】特許第３９４９１５６号公報
【特許文献２】特許第５１６０８３８号公報
【発明の概要】
【発明が解決しようとする課題】
【０００７】
本発明が解決しようとする課題は、上記の問題点に鑑み、蓋部の固定のための構造が転圧作業の障害となることがないと共に充分な強度をもって段積みすることができ、また、容易に製造できながら吊り上げた際の変形をできるだけ抑制して、円滑かつ効率的に転圧作業を行うことができる土嚢袋を提供することにある。
【課題を解決するための手段】
【０００８】
（１．吊りベルト）
本発明は、上記の課題を解決するための第１の手段として、開口を有しこの開口を通じて充填された内容物により保型性を有する袋本体と、この袋本体の開口を閉鎖する複数の蓋部と、袋本体を吊り上げる吊りベルトを有する土嚢袋であって、吊りベルトは、両端が袋本体の内面に取り付けられた複数の底ベルトと、袋本体の底面側から貫通して袋本体内に延びて袋本体の底面を引き上げる引き上げベルトと、これらの複数の底ベルト及び引き上げベルトを結束すると共に吊り下げる吊り下げベルトとから成っていることを特徴とする土嚢袋を提供するものである。
【０００９】
本発明は、上記の課題を解決するための第２の手段として、上記第１の解決手段において、引き上げベルトは、袋本体の底面に設けられた固定ベルトに固定されていることを特徴とする土嚢袋を提供するものである。
【００１０】
本発明は、上記の課題を解決するための第３の手段として、上記第２の解決手段において、固定ベルトは、袋本体の底面に十字状に取り付けられたクロスベルトであって、引き上げベルトは、クロスベルトの交差点において固定されていることを特徴とする土嚢袋を提供するものである。
【００１１】
本発明は、上記の課題を解決するための第４の手段として、上記第１乃至第３のいずれかの解決手段において、底ベルトは、袋本体の側面間の角部以外の箇所に取り付けられていることを特徴とする土嚢袋を提供するものである。
【００１２】
本発明は、上記の課題を解決するための第５の手段として、上記第１乃至第４のいずれかの解決手段において、複数の蓋部は、吊りベルトを貫通させるスリットを有していることを特徴とする土嚢袋を提供するものである。
【００１３】
（２．補助ベルト）
本発明は、上記の課題を解決するための第６の手段として、上記第１乃至第５のいずれかの解決手段において、袋本体は、更に、袋本体の側面間の角部に取り付けられた補助ベルトを有し、この補助ベルトは、袋本体の吊り下げ時に吊りベルトに固定されて袋本体の吊り下げを補助することを特徴とする土嚢袋を提供するものである。
【発明の効果】
【００１４】
本発明によれば、上記のように、吊りベルトは、両端が袋本体の内面に取り付けられた複数の底ベルトと、袋本体の底面側から貫通して袋本体内に延びて袋本体の底面を引き上げる引き上げベルトと、これらの複数の底ベルト及び引き上げベルトを結束すると共に吊り下げる吊り下げベルトとから成っているため、引き上げベルト及び底ベルトにより底面の中央や側方の垂れ下がりを防止しつつ、吊り下げベルトにより袋本体を吊り下げて搬送することができるので、吊り下げによる土嚢袋の変形を抑制して、転圧作業を円滑にかつ効率良く行うことができると共に、各ベルトをリング状にして掛け合わせるだけであるため、容易に製造することができる実益がある。
【００１５】
本発明によれば、上記のように、袋本体は、更に、袋本体の側面間の角部に取り付けられた補助ベルトを有し、この補助ベルトは、袋本体の吊り下げ時に吊りベルトに固定されて袋本体の吊り下げを補助するため、特に、袋本体の角部の垂れ下がりによる変形を抑制することができ、吊り下げによる土嚢袋の変形を抑制して、転圧作業を円滑にかつ効率良く行うことができる実益がある。
【００１６】
本発明によれば、上記のように、複数の蓋部は、吊りベルトを貫通させるスリットを有しているため、蓋部の上面を平坦としつつ、このスリットを介して吊りベルトを蓋部の上方にまで延出させることができ、クレーンによる搬送に影響を与えることなく、円滑に段積み作業をすることができる実益がある。
【図面の簡単な説明】
【００１７】
【図１】本発明の土嚢袋の蓋を開けて展開した状態の斜視図である。
【図２】本発明の土嚢袋の蓋を閉じた状態の斜視図である。
【図３】本発明の土嚢袋の蓋を開けて展開した状態の平面図である。
【図４】本発明の土嚢袋の蓋を開けて展開した状態の側面図である。
【図５】本発明の土嚢袋の蓋を閉じた状態の平面図である。
【図６】本発明の土嚢袋を底面側から見た場合の斜視図である。
【図７】本発明の土嚢袋の補助ベルトを有する実施の形態の斜視図である。
【発明を実施するための形態】
【００１８】
本発明の実施の形態について図面を参照しながら詳細に説明すると図１乃至図６は、本発明の土嚢袋１０を示し、この土嚢袋１０は、図１乃至図６に示すように、開口１２ａを有する袋本体１２と、この袋本体１２の開口１２ａを閉鎖する複数の蓋部１４と、袋本体１２を吊り上げる吊りベルト１６とを有している。
【００１９】
この土嚢袋１０は、例えば、水害や土石流発生等の災害時においては、複数の土嚢袋１０を段積みして、土壁や堤防の代わりとして、土砂や水の侵入を防止することに使用することができる。また、本発明の土嚢袋１０は、土質の改良（強化）のため、地中に段積みして、土壌を固化し、その上に道路等の構築物を構築する際の基礎とすることに用いることもできる。いずれの場合も、土嚢袋１０は、開口１２ａを通じて、袋本体１２の内部に、図示しない土砂やセメント、あるいは、枯葉、焼却灰、瓦礫等の廃棄物等を充填して固形とし、充填後、図２及び図５に示すように、複数の蓋部１４を閉じて封入した後、図示しないクレーン等により吊りベルト１６を吊り上げて、複数の土嚢袋１０を積層することにより段積みされる。
【００２０】
（１．袋本体）
袋本体１２は、開口１２ａを通じて充填された内容物により保型性を有するため、土砂やセメント等の内容物を収納しても破損しない強度を有することが要求される一方、内容物を収納しない状態においては、折り畳んで保管等することができれば、その材質には、特に限定はないが、具体的には、例えば、帯状のポリプロピレンを多重に織り込んで形成することができる。また、この袋本体１２の形状も、図示の実施の形態では、整列させて隙間なく積層する上で好適であるため、図１及び図３、図４に示すように、一面を開口１２ａとする積層に適した直方体状の形状を有するが、同様に積層に支障がなければ、他の形状とすることもできる。
【００２１】
なお、袋本体１２の大きさについても、特に限定はなく、用途に応じて適宜設定することができるが、河川等における氾濫対策や、基礎工事に用いる場合には、例えば、直方体形状の一辺が１５００ｍｍ程度、高さが約５００ｍｍ程度の比較的大きなサイズとして、内容物の重量による不動性を確保することが望ましい。また、この袋本体１２は勿論、蓋部１４を含めて土嚢袋１０全体に、必要に応じて、適宜防水加工等を施して、耐水性を向上させることもできる。
【００２２】
（２．蓋部）
蓋部１４も、袋本体１２と同様に、例えば、帯状のポリプロピレンを多重に織り込んで形成することができる他、特に、ポリエステルフィルム、ナイロンフィルム、ポリエチレンフィルム、ポリプロピレンフィルム、ポリ塩化ビニリデンフィルム、アルミ蒸着フィルム及びシリカ蒸着フィルムから選ばれる少なくとも１種のフィルムを有する積層体から形成することが望ましい。また、この蓋部１４は、図１及び図３、図４に示すように、袋本体１２の開口１２ａに臨む上端から連続して延びるようにして袋本体１２に縫合等することにより袋本体１２と一体的に形成することができる。
【００２３】
この蓋部１４は、袋本体１２が直方体形状に形成されている図示の実施の形態では、開口１２ａの全体を覆うことができる大きさを有し、図１及び図３、図４に示すように、直方体状の形状を有する袋本体１２の側面から上方に延出するようにして形成された２対の蓋部１４Ａ、１４Ｂから成っている。これらの２対の蓋部１４Ａ、１４Ｂは、図１及び図３に示すように、一方の対の蓋部１４Ａ１、１４Ａ２が相対向して配置され、他方の対の蓋部１４Ｂ１、１４Ｂ２は、この一方の対の蓋部１４Ａ１、１４Ａ２とは交差する方向において相対向して配置されている。これらの蓋部１４は、開口の１２ａの形状に対応して、図示の実施の形態では、長方形の一種である略正方形に形成されている。
【００２４】
これらの蓋部１４は、各対の蓋部１４Ａ、１４Ｂ毎に相互に閉じられて開口１２ａを閉鎖する。即ち、例えば、相対向する他方の対の蓋部１４Ｂについて、下方の蓋部１４Ｂ２の上に上方の蓋部１４Ｂ１を重ねて加工１２ａを閉じた後、この他方の対の蓋部１４Ｂの上で、相対向する一方の対の蓋部１４Ａについて、下方の蓋部１４Ａ２の上に上方の蓋部１４Ａ１を重ねて開口１２ａを閉じることができる。これにより、直方体形状の袋本体１２のいずれの辺（上縁）からの内容物の漏れ出しを防止することができる。この場合、一方の対の蓋部１４Ａの上方の蓋部１４Ａ１が、最上方に位置する蓋部１４となる。なお、いずれの対の蓋部１４Ａ、１４Ｂを先に閉じるかは、作業者の任意であって、上記とは異なり、一方の対の蓋部１４Ａを先に閉じた後、他方の対の蓋部１４Ｂを閉じても良く、この場合には、他方の対の蓋部１４Ｂの上方の蓋部１４Ｂ１が最上方に位置する蓋部１４となる。即ち、いずれにしろ、２つの上方の蓋部１４Ａ１、１４Ｂ１のいずれかが、最上方の蓋部１４となる。
【００２５】
（３．固定手段）
これらの蓋部１４は、図１乃至図６に示すように、固定手段１８によって、相互に固定される。この場合、特に本発明においては、これらの複数の蓋部１４のうち、少なくとも最上方の蓋部１４は、最上方の蓋部１４の下面に形成され、下方に位置する他の蓋部１４の上面に固定される固定手段１８によって開口１２ａを閉鎖するように固定される。即ち、本発明では、固定手段１８が蓋部１４の下面に形成されているため、特に図２及び図５に示すように、蓋部１４を閉じた状態においては、転圧作業の際にランマー等により直接押圧される土嚢袋１０の上面に位置する最上方の蓋部１４は、その上側表面には、何ら固定手段は表出していない。従って、最上方の蓋部１４の上面は、図２及び図５に示すように、蓋部１４を固定するためのベルト、面ファスナーその他の固定手段が現れることなく平坦状に形成されている。このため、本発明においては、蓋部１４の固定のための構造が転圧作業の障害となることがなく、円滑かつ効率的に転圧作業を行うことができると共に、その結果、複数の土嚢袋１０を、安定的に、かつ、隙間なく高い強度で２層以上に積層することができる。
【００２６】
固定手段１８は、より具体的には、図１及び図３、図４に示すように、開口１２ａを閉鎖する状態で下方に位置する蓋部１４Ａ２、１４Ｂ２の上面に下側の固定手段１８Ｂを有する一方、開口１２ａを閉鎖する状態で上方に位置する他方の蓋部１４Ａ１、１４Ｂ１の下面に下側の固定手段１８Ｂに固定される上側の固定手段１８Ａを有する。２対の蓋部１４Ａ、１４Ｂから成る図示の実施の形態では、各対の蓋部１４Ａ、１４Ｂ毎に固定手段１８により相互に固定されて開口を閉鎖する。即ち、一方の対の蓋部１４Ａの下方の蓋部１４Ａ２の上面に下側の固定手段１８Ｂを設ける一方、一方の対の蓋部１４Ａの上方の蓋部１４Ａ１の下面に上側の固定手段１８Ａを設け、下方の蓋部１４Ａ２の上面を、上方の蓋部１４Ａ１で覆うことにより、上側の固定手段１８Ａを下側の固定手段１８Ｂに固定する。同様に、他方の対の蓋部１４Ｂの下方の蓋部１４Ｂ２の上面に下側の固定手段１８Ｂを設ける一方、他方の対の蓋部１４Ｂの上方の蓋部１４Ｂ１の下面に上側の固定手段１８Ａを設け、下方の蓋部１４Ｂ２の上面を、上方の蓋部１４Ａ１で覆うことにより、上側の固定手段１８Ａを下側の固定手段１８Ｂに固定する。
【００２７】
これにより、各対の蓋部１４Ａ、１４Ｂ毎に蓋部１４が相互に固定され、開口１２ａの封鎖状態が維持される。また、上述したように、いずれの対の上方の蓋部１４Ａ１、１４Ｂ１であっても、最上方の蓋部１４となる場合があるが、各対の蓋部１４Ａ、１４Ｂ毎に、上方の蓋部１４Ａ１、１４Ｂ１の下面に上側の固定手段１８Ａを設けることにより対応することができる。
【００２８】
この固定手段１８としては、具体的には、図１乃至図５に示すように、帯状の面ファスナーを使用することができる。この場合、図１及び図３、図４に示すように、固定手段１８である面ファスナーを、例えば、下側の固定手段１８Ｂとしてメス側の面ファスナーを、接合面を上に向けた状態で、下方の蓋部１４Ａ２、１４Ｂ２の上面に取付け、上側の固定手段１８Ａとしてオス側の面ファスナーを、接合面を下に向けた状態で、上方の蓋部１４Ａ１、１４Ｂ１の下面に取り付けることにより、設置することができる。
【００２９】
また、これらの固定手段１８は、図示の実施の形態では、図１乃至図５に示すように、帯状の面ファスナーを４カ所設置し、各々上下の固定手段１８Ａ、１８Ｂが、対応する数、位置にて設置されている。この場合、例えば、図１及び図４に示すように、下方の蓋部１４Ａ２、１４Ｂ２の上面に設けられる下側の固定手段１８Ｂを、袋本体１２の上端から蓋部１４の先端方向の途中までに設置し、他方、これに対応するようにして、上方の蓋部１４Ａ１、１４Ｂ１の下面に設けられる上側の固定手段１８Ａを、蓋部１４の先端から袋本体１２の上端方向の途中までに設置することができる。但し、この態様に限定されるものではなく、例えば、接合強度を優先して、図２及び図３、図５に示すように、固定手段１８である面ファスナーを、袋本体１２の上端から蓋部１４の先端の全長にわたって設置することもできる。同様に、図示の実施の形態では、帯状の面ファスナーを４カ所設置したが、その個数や形状にも特に限定はない。
【００３０】
（４．吊りベルト）
一方、吊りベルト１６は、本発明においては、特に図１及び図６に示すように、両端が袋本体１２の内面に取り付けられた複数の底ベルト１６Ａと、袋本体１２の底面１２ｂ側から貫通して袋本体１２内に延びて袋本体１２の底面１２ｂを引き上げる引き上げベルト１６Ｂと、これらの複数の底ベルト１６Ａ及び引き上げベルト１６Ｂを結束すると共に吊り下げる吊り下げベルト１６Ｃとから成っている。
【００３１】
底ベルト１６Ａは、袋本体１２を吊り上げた際に、袋本体１２の底面１２ｂの各辺（側方）が垂れ下がるのを防止するためのものであり、本発明においては、図１及び図３、図６に示すように、袋本体１２の側面１２ｃ間の角部以外の箇所に取り付けられている。具体的には、図示の実施の形態では、底ベルト１６Ａは、４つのベルトから成り、各底ベルト１６Ａを、特に図３に示すように、各々、袋本体１２の側面１２ｃ間の角部に跨がるようにして折り返して配置して、その両端を隣り合う異なる側面１２ｃの下端に接合して設置する。この場合、各底ベルト１６の折り返し点が、図３に示すように、袋本体１２の中央部にまで達する程度の長さとする。これは、特に図３に示すように、これら４つの底ベルト１６の折り返し点を、吊り下げベルト１６Ｃにより結束するためである。
【００３２】
また、引き上げベルト１６Ｂは、特に図６に示すように、袋本体１２の底面１２ｂに設けられた固定ベルト２０に固定されている。この固定ベルト２０は、図６に示すように、袋本体１２の底面１２ｂに十字状に取り付けられたクロスベルトであって、引き上げベルト１６Ｂは、クロスベルトの交差点において固定されている。より具体的には、特に図６に示すように、このクロスベルトである固定ベルトの交差点は、袋本体１２の底面１２ｂの中央に形成された貫通孔１２ｄに臨むようにして配置され、引き上げベルト１６Ｂは、このクロスベルトである固定ベルト２０の交差点を跨がるようにして掛けられる一方、貫通孔１２ｄを貫通して、袋本体１２内部の上方にまで延び、この袋本体１２の内部において、吊り下げベルト１６Ｃにも跨がるようにして設置される。即ち、引き上げベルト１６Ｂは、固定ベルト２０の交差点と吊り下げベルト１６Ｃとに跨がるリング状に形成され、これにより、引き上げベルト１６Ｂは、袋本体１２の底面１２ｂの中央付近から引き上げることができ、袋本体１２の底面１２ｂの中央付近の垂れ下がりによる変形を抑制することができる。なお、図６に示すように、この貫通孔ｄからは袋本体１２内部に向かって引き上げベルト１６Ｂを囲むようにして設置された口縛り可能な筒体１２ｅが形成され、この筒体１２ｅを縛ることにより、袋本体１２の内部から貫通孔１２ｄを介して内容物が漏れ出さないように設定されている。
【００３３】
一方、吊り下げベルト１６Ｃ、図１及び図３に示すように、一端が、４つの底ベルト１６Ａの折り返し点及び引き上げベルト１６Ｂとに跨がるようにして掛けられる一方、多端は、袋本体１２の上方にまで延びてリング状に形成される。これにより、吊りベルト１６は、底ベルト１６Ａ、引き上げベルト１６Ｂ、吊り下げベルト１６Ｃの各ベルトを、リング状等にして掛け合わせるだけで設置することができ、容易に製造することができつつ、この吊り下げベルト１６Ｃを図示しないクレーン等により吊り下げて引き上げると、土嚢袋１０全体が引き上げられると同時に、その際に、特に、引き上げベルト１６Ｂ及び底ベルトＡにより底面１２ｂの中央や側方の垂れ下がりを防止しつつ、吊り下げベルト１６Ｃにより袋本体を吊り下げて搬送することができるので、吊り下げによる土嚢袋１０の変形を抑制して、転圧作業を円滑にかつ効率良く行うことができる。
【００３４】
なお、複数の蓋部１４は、図１乃至図３及び図５に示すように、吊りベルト１６の吊り下げベルト１６Ｃを貫通させるスリット２２を有している。このため、蓋部１４の上面を平坦としつつ、このスリット２２を介して吊りベルト１６の吊り下げベルト１６Ｃを蓋部１４の上方にまで延出させることができ、図示しないクレーンによる搬送に影響を与えることなく、円滑に段積み作業をすることができる。なお、このスリット２２を貫通して、袋本体１２の上方にまで延出した吊り上げベルト１６は、設置後は、図２に示すように、倒すことにより、蓋部１４の表面に面ファスナーや多数のベルト等が表出しない平滑な面とすることができる、これにより、蓋部１４の上面をランマー等の転圧機械により転圧（地固め）する際に、面ファスナーや多数のベルト等が転圧の障害となることがなく、袋本体上部への転圧作業を円滑に行うことができ、安定的に、かつ、隙間なく効率的に２層以上に積層することができる。
【００３５】
（５．補助ベルト）
更に、本発明においては、図７に示すように、袋本体１２に、袋本体１２の側面１２ｃ間の角部に取り付けられた補助ベルト２４を設置することもできる。この補助ベルト２４は、図７に示すように、袋本体１２の吊り下げ時に吊りベルト１６に固定されて袋本体１２の吊り下げを補助するものである。具体的には、この補助ベルト２４は、図７に示すように、袋本体１２の側面１２ｃ間の角部に跨がって取り付けられる４つの角ベルト２４Ａと、これらの角ベルト２４Ａを吊り下げベルト１６Ｃに連結する連結ベルト２４Ｂとから成っている。この補助ベルト２４により、特に、袋本体１２の角部の垂れ下がりによる変形を抑制することができ、吊り下げによる土嚢袋１０の変形を抑制して、転圧作業を円滑にかつ効率良く行うことができる。
【産業上の利用可能性】
【００３６】
本発明は、例えば、水害や土石流発生等の災害時においては、複数段積みして、土壁や堤防の代わりとして、土砂や水の侵入を防止することに使用する、また、土質の改良（強化）のため、地中に段積みして、土壌を固化し、その上に道路等の構築物を構築する際の基礎とすることに、広く適用することができる。
【符号の説明】
【００３７】
１０  土嚢袋
１２  袋本体
１２ａ  開口
１２ｂ  底面
１２ｃ  側面
１２ｄ  貫通孔
１４  蓋部
１４Ａ、１４Ｂ  ２対の蓋部
１４Ａ１  一方の対の上方の蓋部
１４Ａ２  一方の対の下方の蓋部
１４Ｂ１  他方の対の上方の蓋部
１４Ｂ２  他方の対の下方の蓋部
１６  吊りベルト
１６Ａ  底ベルト
１６Ｂ  引き上げベルト
１６Ｃ  吊り下げベルト
１８  固定手段
１８Ａ  上側の固定手段
１８Ｂ  下側の固定手段
２０  固定ベルト
２２  スリット
２４  補助ベルト
【図１】
2019094625.tif 000003
【図２】
2019094625.tif 000004
【図３】
2019094625.tif 000005
【図４】
2019094625.tif 000006
【図５】
2019094625.tif 000007
【図６】
2019094625.tif 000008
【図７】
2019094625.tif 000009